(57)【特許請求の範囲】
【請求項１】
通信網を介して相手先を呼び出す際、その相手先を指定する指定コードに付加して、特定の通信網に接続するための接続コードを送信することにより、その特定の通信網を通じて相手先を呼び出すとともに、呼び出し時に送信される上記指定コードと上記接続コードとからなる送信コードを表示可能な表示手段と、相手先からの応答信号を受信しない場合に上記送信コードを再送信可能な再送信手段とを備えた通信装置であって、
上記相手先の呼び出し時に送信される上記送信コードのうち、上記接続コードを記憶した接続コード記憶手段と、
上記相手先を呼び出す際に入力される送信コードを記憶する送信コード記憶手段と、
上記送信コードの送信に際して入力されるコマンド信号の有無を判定するコマンド信号判定手段と、
上記通信網を介した相手先の呼び出し時、上記送信コード中に上記接続コード記憶手段に記憶された上記接続コードが含まれているか否かを判定するコード判定手段と、
上記コマンド信号判定手段と上記コード判定手段とによって上記コマンド信号を有し且つ上記接続コードが含まれていると判定された場合、上記送信コードとして上記表示手段によって表示されるべき上記接続コードを非表示とする表示制御手段と、
上記コマンド信号判定手段と上記コード判定手段とによって上記コマンド信号を有し且つ上記接続コードが含まれていると判定され、上記再送信手段により所定期間内に再送信が行われない場合、通信処理の後に上記送信コード記憶手段から上記送信コードを削除する送信コード削除手段とを有することを特徴とする通信装置。
【請求項２】
通信網を介して相手先を呼び出す際、その相手先を指定する指定コードに付加して、特定の通信網に接続するための接続コードを送信することにより、その特定の通信網を通じて相手先を呼び出すとともに、呼び出し時に送信された上記指定コードと上記接続コードとからなる送信コードを送信レポートとして記録可能な記録手段と、相手先からの応答信号を受信しない場合に上記送信コードを再送信可能な再送信手段とを備えた通信装置であって、
上記相手先の呼び出し時に送信される上記送信コードのうち、上記接続コードを記憶した接続コード記憶手段と、
上記相手先を呼び出す際に入力される送信コードを記憶する送信コード記憶手段と、
上記送信コードの送信に際して入力されるコマンド信号の有無を判定するコマンド信号判定手段と、
上記通信網を介した相手先の呼び出し時、上記送信コード中に上記接続コード記憶手段に記憶された上記接続コードが含まれているか否かを判定するコード判定手段と、
上記コマンド信号判定手段と上記コード判定手段とによって上記コマンド信号を有し且つ上記接続コードが含まれていると判定された場合、上記送信レポートとして上記記録手段によって記録されるべき上記接続コードを非記録とする記録制御手段と、
上記コマンド信号判定手段と上記コード判定手段とによって上記コマンド信号を有し且つ上記接続コードが含まれていると判定され、上記再送信手段により所定期間内に再送信が行われない場合、通信処理の後に上記送信コード記憶手段から上記送信コードを削除する送信コード削除手段とを有することを特徴とする通信装置。
【請求項３】
上記コマンド信号は、上記接続コードを送信するときにのみ入力される特定キーである、請求項１または請求項２に記載の通信装置。
【請求項４】
通信網を介して相手先を呼び出す際、その相手先を指定する指定コードに付加して、特定の通信網に接続するための接続コードを送信することにより、その特定の通信網を通じて相手先を呼び出すとともに、呼び出し時に送信される上記指定コードと上記接続コードとからなる送信コードを表示可能な表示手段と、相手先からの応答信号を受信しない場合に上記送信コードを再送信可能な再送信手段とを備えた通信装置であって、
上記相手先の呼び出し時に送信される上記送信コードのうち、上記接続コードを記憶した接続コード記憶手段と、
上記相手先を呼び出す際に入力される送信コードを記憶する送信コード記憶手段と、
上記通信網を介した相手先の呼び出し時、上記送信コード中に上記接続コード記憶手段に記憶された上記接続コードが含まれているか否かを判定するコード判定手段と、
上記コード判定手段によって上記接続コードが含まれていると判定された場合、上記送信コードとして上記表示手段によって表示されるべき上記接続コードを非表示とする表示制御手段と、
上記コード判定手段によって上記接続コードが含まれていると判定され、且つ、上記再送信手段により所定期間内に再送信が行われない場合、通信処理の後に上記送信コード記憶手段から上記送信コードを削除する送信コード削除手段とを備えることを特徴とする通信装置。
【発明の詳細な説明】
【０００１】
【発明の属する技術分野】
本発明は、たとえば電話機やファクシミリ装置などであって、相手先の電話番号などを表示あるいは記録可能な通信装置に関する。
【０００２】
【従来の技術】
従来、通信装置の一例として、たとえば電話機やファクシミリ装置などにおいては、電話回線を介して相手先を呼び出す際、キー入力されて送信される相手先の電話番号などがＬＣＤに表示され、あるいは送信後に送信レポートとして記録されている。
【０００３】
このような通信装置が接続される通信網としては、電話回線が代表的であるが、その電話回線を介した接続形態にも多様なサービスが提供されている。その一つとしては、通常の接続料金よりも格安な回線を選択して接続を行うサービスがあり、このような格安回線接続サービスを受ける場合、指定コードである相手先の電話番号に付加して格安回線に接続するための接続コードをキー入力する必要がある。接続コードの内容には、キャッシュカードの暗証番号などのように、他人に知られると悪用される番号が含まれることがあるが、このような接続コードは、相手先電話番号などと一連となってＬＣＤに表示されたり、あるいは送信レポートとして記録されている。
【０００４】
【発明が解決しようとする課題】
しかし、上記従来の通信装置では、上述の如く、格安回線に接続する際にキー入力された接続コードは、相手先電話番号などと一連となってＬＣＤに表示されたり、あるいは送信レポートとして記録されるので、悪用のおそれのある接続コードを他人に知られないようにする対策がされていないという不具合があった。
【０００５】
本発明は、上記の点に鑑みて提案されたものであって、相手先の指定コードに付加して接続コードを送信する際、その接続コードを非公開とすることができる通信装置を提供することを目的としている。
【０００６】
【課題を解決するための手段】
上記目的を達成するために、請求項１に記載した発明の通信装置は、通信網を介して相手先を呼び出す際、その相手先を指定する指定コードに付加して、特定の通信網に接続するための接続コードを送信することにより、その特定の通信網を通じて相手先を呼び出すとともに、呼び出し時に送信される上記指定コードと上記接続コードとからなる送信コードを表示可能な表示手段と、相手先からの応答信号を受信しない場合に上記送信コードを再送信可能な再送信手段とを備えた通信装置であって、上記相手先の呼び出し時に送信される上記送信コードのうち、上記接続コードを記憶した接続コード記憶手段と、上記相手先を呼び出す際に入力される送信コードを記憶する送信コード記憶手段と、上記送信コードの送信に際して入力されるコマンド信号の有無を判定するコマンド信号判定手段と、上記通信網を介した相手先の呼び出し時、上記送信コード中に上記接続コード記憶手段に記憶された上記接続コードが含まれているか否かを判定するコード判定手段と、上記コマンド信号判定手段と上記コード判定手段とによって上記コマンド信号を有し且つ上記接続コードが含まれていると判定された場合、上記送信コードとして上記表示手段によって表示されるべき上記接続コードを非表示とする表示制御手段と、上記コマンド信号判定手段と上記コード判定手段とによって上記コマンド信号を有し且つ上記接続コードが含まれていると判定され、上記再送信手段により所定期間内に再送信が行われない場合、通信処理の後に上記送信コード記憶手段から上記送信コードを削除する送信コード削除手段とを有することを特徴としている。
【０００７】
この通信装置によれば、相手先の指定コードに付加して接続コードを送信する際、これら指定コードおよび接続コードが一連となって送信コードとして送信される。このような送信コードは、送信に際して表示手段によって表示されることとなるが、その送信コード中に接続コードが含まれている場合、つまり、接続コードを送信することによって特定の通信網を介して相手先を呼び出す場合には、接続コードが表示手段に表示されない非表示の状態とされる。したがって、相手先の指定コードに付加して接続コードを送信する際は、表示手段によっても接続コードが表示されることがないので、他人に知られたくないような接続コードを非公開とすることができる。また、コード判定手段が接続コードの送信に際して入力されるコマンド信号の有無に基づいて判定処理を行うので、接続コードを送信することなく相手先の指定コードのみを送信する場合、コマンド信号の未入力に対応して判定処理が行われないこととなり、送信する指定コード中に接続コードと同一列のコードが偶発的に存在したとしても、誤って接続コードと判定されることはなく、送信コードとされた指定コードのみを確実に表示することができる。さらに、通信処理の後に送信データ記憶手段の送信データが削除されるので、送信データに含まれる接続コードの秘密保持が可能になる。また、相手先からの応答信号を受信しない場合は、送信コードが再送信されるので、送信コードを再入力する必要がない。
【０００８】
また、請求項２に記載した発明の通信装置は、通信網を介して相手先を呼び出す際、その相手先を指定する指定コードに付加して、特定の通信網に接続するための接続コードを送信することにより、その特定の通信網を通じて相手先を呼び出すとともに、呼び出し時に送信された上記指定コードと上記接続コードとからなる送信コードを送信レポートとして記録可能な記録手段と、相手先からの応答信号を受信しない場合に上記送信コードを再送信可能な再送信手段とを備えた通信装置であって、上記相手先の呼び出し時に送信される上記送信コードのうち、上記接続コードを記憶した接続コード記憶手段と、上記相手先を呼び出す際に入力される送信コードを記憶する送信コード記憶手段と、上記送信コードの送信に際して入力されるコマンド信号の有無を判定するコマンド信号判定手段と、上記通信網を介した相手先の呼び出し時、上記送信コード中に上記接続コード記憶手段に記憶された上記接続コードが含まれているか否かを判定するコード判定手段と、上記コマンド信号判定手段と上記コード判定手段とによって上記コマンド信号を有し且つ上記接続コードが含まれていると判定された場合、上記送信レポートとして上記記録手段によって記録されるべき上記接続コードを非記録とする記録制御手段と、上記コマンド信号判定手段と上記コード判定手段とによって上記コマンド信号を有し且つ上記接続コードが含まれていると判定され、上記再送信手段により所定期間内に再送信が行われない場合、通信処理の後に上記送信コード記憶手段から上記送信コードを削除する送信コード削除手段とを有することを特徴としている。
【０００９】
この通信装置によれば、相手先の指定コードに付加して接続コードを送信する際、これら指定コードおよび接続コードが一連となって送信コードとして送信される。このような送信コードは、送信後などに記録手段によって送信レポートとして記録されることとなるが、その送信コード中に接続コードが含まれている場合、つまり、接続コードを送信することによって特定の通信網を介して相手先を呼び出した場合には、接続コードが記録手段によって記録されない非記録の状態とされる。したがって、相手先の指定コードに付加して接続コードを送信した際は、記録手段によっても接続コードが記録されることがないので、他人に知られたくないような接続コードを非公開とすることができる。また、コード判定手段が接続コードの送信に際して入力されるコマンド信号の有無に基づいて判定処理を行うので、接続コードを送信することなく相手先の指定コードのみを送信する場合、コマンド信号の未入力に対応して判定処理が行われないこととなり、送信する指定コード中に接続コードと同一列のコードが偶発的に存在したとしても、誤って接続コードと判定されることはなく、送信コードとされた指定コードのみを確実に記録することができる。さらに、通信処理の後に送信データ記憶手段の送信データが削除されるので、送信データに含まれる接続コードの秘密保持が可能になる。また、相手先からの応答信号を受信しない場合は、送信コードが再送信されるので、送信コードを再入力する必要がない。
【００１０】
さらに、請求項３に記載した発明の通信装置は、請求項１または請求項２に記載の通信装置において、上記コマンド信号は、上記接続コードを送信するときにのみ入力される特定キーである。
【００１１】
【００１２】
また、請求項４に記載した発明の通信装置は、通信網を介して相手先を呼び出す際、その相手先を指定する指定コードに付加して、特定の通信網に接続するための接続コードを送信することにより、その特定の通信網を通じて相手先を呼び出すとともに、呼び出し時に送信される上記指定コードと上記接続コードとからなる送信コードを表示可能な表示手段と、相手先からの応答信号を受信しない場合に上記送信コードを再送信可能な再送信手段とを備えた通信装置であって、上記相手先の呼び出し時に送信される上記送信コードのうち、上記接続コードを記憶した接続コード記憶手段と、上記相手先を呼び出す際に入力される送信コードを記憶する送信コード記憶手段と、上記通信網を介した相手先の呼び出し時、上記送信コード中に上記接続コード記憶手段に記憶された上記接続コードが含まれているか否かを判定するコード判定手段と、上記コード判定手段によって上記接続コードが含まれていると判定された場合、上記送信コードとして上記表示手段によって表示されるべき上記接続コードを非表示とする表示制御手段と、上記コード判定手段によって上記接続コードが含まれていると判定され、且つ、上記再送信手段により所定期間内に再送信が行われない場合、通信処理の後に上記送信コード記憶手段から上記送信コードを削除する送信コード削除手段とを備えることを特徴としている。
【００１３】
【００１４】
【００１５】
【００１６】
【００１７】
【００１８】
【発明の実施の形態】
以下、本発明の好ましい実施の形態ついて図面を参照して具体的に説明する。
【００１９】
図１は、本発明にかかる通信装置の一例としてファクシミリ装置の回路構成を示した回路ブロック図であって、この図に示すように、ファクシミリ装置は、ＣＰＵ１、ＮＣＵ２、ＲＡＭ３、モデム４、ＲＯＭ５、ＥＥＰＲＯＭ６、ゲートアレイ７、コーデック８、ＤＭＡＣ９、読取部１１、記録部１２、操作部１３、および表示部１４を具備して構成されている。ＣＰＵ１、ＮＣＵ２、ＲＡＭ３、モデム４、ＲＯＭ５、ＥＥＰＲＯＭ６、ゲートアレイ７、コーデック８、およびＤＭＡＣ９は、バス線により相互に接続されている。バス線には、アドレスバス、データバス、および制御信号線が含まれる。ゲートアレイ７には、読取部１１、記録部１２、操作部１３、および表示部１４が接続されている。ＮＣＵ２には、通信網の一例としての電話回線２１が接続されている。
【００２０】
ＣＰＵ１は、ファクシミリ装置全体を制御する。ＮＣＵ２は、電話回線２１に接続されて網制御を行う。ＲＡＭ３は、充電電池などの電池（図示省略）により電源バックアップが施されており、ファクシミリ受信データなどの各種データを記憶する。モデム４は、送信データの変調や受信データの復調などを行う。ＲＯＭ５は、各種のプログラムや初期設定値などのデータを記憶している。ＥＥＰＲＯＭ６は、各種のフラグや登録データなどを記憶する。ゲートアレイ７は、ＣＰＵ１の入出力インターフェースとして機能する。コーデック８は、ファクシミリ送信データの符号化やファクシミリ受信データの復号化を行う。ＤＭＡＣ９は、ＲＡＭ３へのデータの書き込みや読み出しを行う。
【００２１】
読取部１１は、光源やイメージセンサなどを備えており、アナログの画像信号を出力する。記録部１２は、たとえばインクジェット方式の記録装置を備えており、受信画像やコピー時の読取画像などを記録用紙上に記録する。操作部１３は、キースイッチ群などからなり、使用者の操作入力に応じた操作信号を出力する。このキースイッチ群のなかには、相手先の電話番号などを入力するためのテンキーや、リダイヤルを実行させるリダイヤルキーが含まれている。表示部１４は、ＬＣＤなどの表示パネルからなり、ＣＰＵ１に制御されて各種の表示を行う。
【００２２】
要点について説明すると、ファクシミリ装置から電話回線２１を介して相手先を呼び出す際、操作部１３のキー入力に応じて相手先の電話番号などが送信され、その送信時に相手先電話番号が表示部１４の表示パネルに表示される。また、送信された相手先電話番号は、送信後に送信レポートとして記録部１２において記録される。このようなファクシミリ装置が接続された電話回線２１では、通常の接続料金よりも格安な回線を選択して接続を行うサービスが提供されており、このような格安回線接続サービスを受ける場合、相手先電話番号に付加して格安回線に接続するための接続番号をキー入力する必要がある。接続番号の内容としては、たとえばサービスセンタのアドレス番号「１２３４」および自己のＩＤ番号「ＸＸＸＸ」があるが、このＩＤ番号は、キャッシュカードの暗証番号などのように、サービスを受ける使用者のみが使用すべきものであって、他人に知られると悪用されるおそれのあるものでもある。
【００２３】
したがって、相手先の電話番号に付加して接続番号を送信する際、ＣＰＵ１は、これら相手先電話番号および接続番号を送信コードとしてシリアル形式で送信するが、その送信前にＣＰＵ１は、送信コード中に接続番号が含まれるか否かを判定している。そして、送信コードに接続番号が含まれる場合、ＣＰＵ１は、その送信コードを表示部１４において表示させない。また、送信コードに接続番号が含まれる場合には、ＣＰＵ１の制御によって記録部１２においても送信レポートに送信コードが記録されない。さらに、送信コードを再送信可能とするために、ＲＡＭ３には、送信された送信コードを記憶しておく所定のリダイヤルバッファ領域が割り当てられているが、送信コードに接続番号が含まれる場合、ＣＰＵ１は、その送信コードをＲＡＭ３に残させない。
【００２４】
このようなＣＰＵ１による送信時の制御は、接続番号を送信するときのみキー入力される、特定キー（たとえば、「＃」キー）に応じたコマンド信号に基づいて行われている。つまり、コマンド信号に連続して送信コードが入力された場合、ＣＰＵ１は、送信コード中に接続番号が含まれるか否かの判定処理を行う。さらに具体的に説明すると、ＣＰＵ１は、シリアル形式で送信される送信コードが接続番号の一部内容となるサービスセンタのアドレス番号と一致する場合にのみ、送信コードに接続番号が含まれることを検出するとともに、その検出結果に基づいて各種制御を実行している。このようなＣＰＵ１の検出対象とされるアドレス番号は、使用者の入力操作などによってあらかじめＲＡＭ３に記憶されている。なお、コマンド信号「＃」が入力されることなく、送信コードが入力されるごとに、その送信コードとＲＡＭ３に記憶されているアドレス番号とを順次比較し、入力された送信コードにアドレス番号が含まれるか否かを判断するような構成でもよい。
【００２５】
すなわち、表示部１４は、相手先の呼び出し時に送信される送信コードを表示可能な表示手段を実現している。また、記録部１３は、相手先の呼び出し時に送信された送信コードを送信レポートとして記録可能な記録手段を実現している。さらに、ＲＡＭ３は、相手先の呼び出し時に送信される送信コードのうち、接続コードを記憶した接続コード記憶手段を実現しているとともに、送信コードを再送信するために記憶しておく再送信コード記憶手段を実現している。
【００２６】
ＣＰＵ１は、通信網を介した相手先の呼び出し時、送信コード中に接続コード記憶手段に記憶された接続コードが含まれているか否かを判定するコード判定手段を実現している。また、ＣＰＵ１は、コード判定手段によって接続コードが含まれていると判定された場合、送信コードとして表示手段によって表示されるべき接続コードを非表示とする表示制御手段を実現しているとともに、送信レポートとして記録手段によって記録されるべき接続コードを非記録とする記録制御手段を実現している。
【００２７】
ＲＯＭ５は、通信網を介して相手先を呼び出す際、その相手先を指定する指定コードに付加して、特定の通信網に接続するための接続コードを送信することにより、その特定の通信網を通じて相手先を呼び出すとともに、呼び出し時に送信される送信コードを表示可能な表示手段を備えた通信装置を制御するためのプログラムを記憶した記憶媒体であって、上記相手先の呼び出し時に送信される上記送信コードのうち、上記接続コードを記憶した接続コード記憶手段を制御するための接続コード記憶プログラムと、上記通信網を介した相手先の呼び出し時、上記送信コード中に上記接続コード記憶手段に記憶された上記接続コードが含まれているか否かを判定するためのコード判定プログラムと、上記コード判定プログラムに基づいて上記接続コードが含まれていると判定された場合、上記送信コードとして上記表示手段によって表示されるべき上記接続コードを非表示とするための表示制御プログラムとを含むプログラムを記憶した記憶媒体を実現している。
【００２８】
また、ＲＯＭ５は、通信網を介して相手先を呼び出す際、その相手先を指定する指定コードに付加して、特定の通信網に接続するための接続コードを送信することにより、その特定の通信網を通じて相手先を呼び出すとともに、呼び出し時に送信された送信コードを送信レポートとして記録可能な記録手段を備えた通信装置を制御するためのプログラムを記憶した記憶媒体であって、上記相手先の呼び出し時に送信される上記送信コードのうち、上記接続コードを記憶した接続コード記憶手段を制御するための接続コード記憶プログラムと、上記通信網を介した相手先の呼び出し時、上記送信コード中に上記接続コード記憶手段に記憶された上記接続コードが含まれているか否かを判定するためのコード判定プログラムと、上記コード判定プログラムに基づいて上記接続コードが含まれていると判定された場合、上記送信レポートとして上記記録手段によって記録されるべき上記接続コードを非記録とするための記録制御プログラムとを含むプログラムを記憶した記憶媒体を実現している。
【００２９】
次に、上記構成を有するファクシミリ装置の動作の要点について、図２に示すフローチャートを参照して説明する。
【００３０】
図２は、ファクシミリ装置による送信コードの処理手順を示したフローチャートである。
【００３１】
まず、ＣＰＵ１は、オフフックの状態で操作部１３のキー入力に応じて送信コードが入力されたか否かを判断している（Ｓ１）。この送信コードとは、上述したように、通常の相手先電話番号や、その相手先電話番号に付加して入力される接続番号を含んだものであり、このような番号があらかじめ設定登録されている場合には、登録キーをワンプッシュ操作するだけで送信コードが入力される。
【００３２】
送信コードが入力されると（Ｓ１：ＹＥＳ）、ＣＰＵ１は、その送信コードの入力の際にコマンド信号が入力されたか否かを判断する（Ｓ２）。このコマンド信号とは、格安回線を選択する場合にのみ、特定キー（たとえば、「＃」キー）をワンプッシュ操作することによりＣＰＵ１によって検出される入力信号である。
【００３３】
コマンド信号が入力されると（Ｓ２：ＹＥＳ）、ＣＰＵ１は、一旦送信コードをＲＡＭ３のリダイヤルバッファ領域に記憶させ（Ｓ３）、その後、その送信コード中に接続番号が含まれるか否かを判定する（Ｓ４）。接続番号は、サービスセンタのアドレス番号および自己のＩＤ番号からなるが、ＣＰＵ１は、そのアドレス番号に基づいて接続番号の有無を検出する。
【００３４】
送信コード中に接続番号が含まれる場合（Ｓ４：ＹＥＳ）、ＣＰＵ１は、その接続番号を含んだ送信コードを送信する（Ｓ５）。それにより、格安回線網を介して呼出信号が相手先のファクシミリ装置などに着信することとなる。
【００３５】
送信コードの送信後、ＣＰＵ１は、呼出信号に基づいて相手先から応答信号を受信したか否かを判断し（Ｓ６）、応答信号を受信した場合（Ｓ６：ＹＥＳ）、通話処理に移行する（Ｓ７）。
【００３６】
通話処理が終了すると、ＣＰＵ１は、Ｓ３においてリダイヤルバッファ領域に記憶した送信コードを消去する（Ｓ８）。なお、応答信号を受信した時点でリダイヤルバッファ領域内の送信コードを消去するようにしてもよい。
【００３７】
つまり、送信コードに接続番号が含まれる場合、ＣＰＵ１は、送信コードを表示部１４において表示させることなく、しかも、通話処理の終了後、すなわち回線の開放後、送信コードは、ＲＡＭ３に残されないことから、再送信することもできない状態となる。また、後に記録される送信レポートにおいても送信コードは記録されない。
【００３８】
Ｓ６において、相手先からの応答信号を受信しない場合（Ｓ６：ＮＯ）、すなわち、相手先が話し中でビジー信号を検出した場合、ＣＰＵ１は、所定期間中にリダイヤルキーが操作されたか否かを判断し（Ｓ９）、リダイヤルキーが操作された場合（Ｓ９：ＹＥＳ）、Ｓ５に戻り、リダイヤルバッファ領域に記憶されている送信コードを再送する。つまり、送信コードに接続番号が含まれる場合であって、相手先と接続されない場合、表示部１４に送信コードが表示されなくても、リダイヤルバッファ領域に送信コードが記憶されているので、所定期間中であれば、リダイヤルキーの操作により繰り返し送信コードを再送できる。
【００３９】
Ｓ９において、所定期間中にリダイヤルキーが操作されない場合（Ｓ９：ＮＯ）、ＣＰＵ１は、リダイヤルバッファ領域に記憶されている送信コードを消去し（Ｓ８）、このルーチンを終了する。つまり、送信コードに接続番号が含まれる場合であって、相手先と接続されない場合、ユーザがリダイヤルキーを所定期間中に操作しなければ、自動的にリダイヤルバッファ領域に記憶されている送信コードが消去され、その送信コードを再送することができない状態となる。また、後に記録される送信レポートにおいても、送信コードは記録されない。
【００４０】
Ｓ４において、送信コード中に接続番号が含まれない場合（Ｓ４：ＮＯ）、ＣＰＵ１は、相手先の電話番号のみを送信コードとして送信する（Ｓ１０）。この場合、通常の回線を介して呼出信号が相手先のファクシミリ装置などに着信することとなる。
【００４１】
送信コードの送信とほぼ同時に、ＣＰＵ１は、その送信コードを表示部１４に表示させる（Ｓ１１）。この際、送信コードは、相手先電話番号のみからなるので、その相手先の電話番号のみが表示されることとなる。
【００４２】
送信コードの送信および表示後、ＣＰＵ１は、呼出信号に基づいて相手先から応答信号を受信したか否かを判断し（Ｓ１２）、応答信号を受信した場合（Ｓ１２：ＹＥＳ）、通話処理に移行する（Ｓ１３）。そして、通話処理が終了すると、ＣＰＵ１は、Ｓ３においてＲＡＭ３に記憶した送信コードを消去することなく、この送信コード処理に関するルーチンを終了する。つまり、相手先電話番号のみを含んだ送信コードは、リダイヤルバッファに依然記憶された状態であることから、後の処理においてその送信コードを再送信することができる。また、後に記録される送信レポートにおいては、送信コードが記録される。
【００４３】
Ｓ１２において、相手先からの応答信号を受信しない場合（Ｓ１２：ＮＯ）、すなわち、相手先が話し中でビジー信号を検出した場合、ＣＰＵ１は、所定期間中にリダイヤルキーが操作されたか否かを判断し（Ｓ１４）、リダイヤルキーが操作された場合（Ｓ１４：ＹＥＳ）、Ｓ１０に戻り、リダイヤルバッファ領域に記憶されている送信コードを再送する。つまり、送信コードに接続番号が含まれない場合であって、相手先と接続されない場合、表示部１４に送信コードが表示された状態で、リダイヤルバッファ領域に送信コードが記憶されているので、所定期間中であれば、リダイヤルキーの操作により繰り返し送信コードを再送できる。
【００４４】
Ｓ１４において、所定期間中にリダイヤルキーが操作されない場合（Ｓ１４：ＮＯ）、ＣＰＵ１は、リダイヤルバッファ領域に送信コードを残した状態で、このルーチンを終了する。つまり、送信コードに接続番号が含まれない場合であって、相手先と接続されない場合、ユーザがリダイヤルキーを所定期間中に操作しなければ、送信コードは、リダイヤルバッファに依然記憶された状態となり、後の処理においてその送信コードを再送信することができる。また、後に記録される送信レポートにおいては、送信コードが記録される。
【００４５】
Ｓ２において、コマンド信号が入力されない場合（Ｓ２：ＮＯ）、ＣＰＵ１は、一旦送信コードをＲＡＭ３のリダイヤルバッファ領域に記憶させ（Ｓ１５）、その後、Ｓ１０以降の処理を実行する。
【００４６】
Ｓ１において、送信コードが入力されない場合（Ｓ１：ＮＯ）、ＣＰＵ１は、この送信コード処理に関するルーチンの実行開始待ちの状態となる。
【００４７】
たとえば、ユーザが上記したような格安回線接続サービスを利用して、所望の相手先の電話番号「０５２−１１１−２２２２」に電話をかける場合には、まず、コマンド信号を送信するために、「＃」キーを入力操作し、これに続けて接続番号を入力する。ここで、接続番号は、たとえば、サービスセンタのアドレス番号「１２３４」と、自己のＩＤ番号「ＸＸＸＸ」とからなり、この「１２３４ＸＸＸＸ」からなる連続番号を「＃」に続けて入力する。さらに、その接続番号に続けて上記の相手先電話番号を入力する。
【００４８】
ここまでの入力を行うと、図２に示すフローチャートにおいて、送信コードが入力されたと判断される（Ｓ１：ＹＥＳ）。そして、送信コード中にコマンド信号が含まれているので、Ｓ２の判断が「ＹＥＳ」となり、送信コードがリダイヤルバッファ領域に記憶される（Ｓ３）。次に、Ｓ４の接続番号の有無の判断において、あらかじめＲＡＭ３に記憶されているアドレス番号「１２３４」と一致する番号が送信コード中に含まれるので「ＹＥＳ」と判断され、入力された送信コードが表示されることなく電話回線２１を介して送信される（Ｓ５）。
【００４９】
ここで、相手先との接続により、その相手先から応答信号が受信された場合  （Ｓ６：ＹＥＳ）、通常の通話処理を行い（Ｓ７）、その通話処理が終了した時点で、リダイヤルバッファ領域に記憶された送信コードが消去される（Ｓ８）。これによって、相手先電話番号と接続番号とを含んだ送信コード「＃１２３４ＸＸＸＸ０５２１１１２２２２」が再送信できない状態となり、直前に送信されたコードを表示させる操作を行っても、上記した送信コードは、表示部１４において表示されない。また、送信レポートにおいても、上記した送信コードが記録されない。したがって、ユーザのＩＤ番号「ＸＸＸＸ」が送信後に残ることがない。
【００５０】
したがって、以上の構成、動作を有するファクシミリ装置によれば、相手先の電話番号に付加して接続番号を送信する際、これら相手先電話番号および接続番号が一連となって送信コードとして送信されるが、その送信コード中には接続番号が含まれ、接続番号を送信することによって格安回線を介して相手先を呼び出すこととなり、そのような場合、接続番号を含む送信コードが表示部１４において表示されない状態とされる。したがって、相手先の電話番号に付加して接続番号を送信する際は、表示部１４によっても接続番号を含む送信コードが表示されないので、他人に知られたくないようなＩＤ番号などを含む接続番号を非公開とすることができる。
【００５１】
また、送信後の送信レポートにおいても送信コードが記録されないので、上記と同様の効果が発揮される。
【００５２】
なお、本実施形態においては、相手先と接続できなかった場合、リダイヤルキーの操作によって送信コードが再送されるように構成されているが、ユーザがリダイヤルキーを操作することなく、自動でリダイヤル処理を実行するものであってもよい。この場合、所定回数のリダイヤル処理を行っても相手先と接続されなければ、その時点でリダイヤルバッファ領域に記憶された送信コードが消去されてリダイヤル処理が終了される。
【００５３】
また、コマンド信号を送信して格安回線を選択した場合には、送信コードに含まれる番号全てを非表示としたが、サービスセンタのアドレス番号のみを表示し、あるいは相手先の電話番号のみを表示するなどの表示処理を実行させてもよい。
【００５４】
【発明の効果】
以上説明したように、請求項１，３に記載した発明の通信装置によれば、相手先の指定コードに付加して接続コードを送信する際、これら指定コードおよび接続コードが一連となって送信コードとして送信される。このような送信コードは、送信に際して表示手段によって表示されることとなるが、その送信コード中に接続コードが含まれている場合、つまり、接続コードを送信することによって特定の通信網を介して相手先を呼び出す場合には、接続コードが表示手段に表示されない非表示の状態とされる。したがって、相手先の指定コードに付加して接続コードを送信する際は、表示手段によっても接続コードが表示されることがないので、他人に知られたくないような接続コードを非公開とすることができる。また、コード判定手段が接続コードの送信に際して入力されるコマンド信号の有無に基づいて判定処理を行うので、接続コードを送信することなく相手先の指定コードのみを送信する場合、コマンド信号の未入力に対応して判定処理が行われないこととなり、送信する指定コード中に接続コードと同一列のコードが偶発的に存在したとしても、誤って接続コードと判定されることはなく、送信コードとされた指定コードのみを確実に表示することができる。さらに、通信処理の後に送信データ記憶手段の送信データが削除されるので、送信データに含まれる接続コードの秘密保持が可能になる。また、相手先からの応答信号を受信しない場合は、送信コードが再送信されるので、送信コードを再入力する必要がない。
【００５５】
また、請求項２，３に記載した発明の通信装置によれば、相手先の指定コードに付加して接続コードを送信する際、これら指定コードおよび接続コードが一連となって送信コードとして送信される。このような送信コードは、送信後などに記録手段によって送信レポートとして記録されることとなるが、その送信コード中に接続コードが含まれている場合、つまり、接続コードを送信することによって特定の通信網を介して相手先を呼び出した場合には、接続コードが記録手段によって記録されない非記録の状態とされる。したがって、相手先の指定コードに付加して接続コードを送信した際は、記録手段によっても接続コードが記録されることがないので、他人に知られたくないような接続コードを非公開とすることができる。また、コード判定手段が接続コードの送信に際して入力されるコマンド信号の有無に基づいて判定処理を行うので、接続コードを送信することなく相手先の指定コードのみを送信する場合、コマンド信号の未入力に対応して判定処理が行われないこととなり、送信する指定コード中に接続コードと同一列のコードが偶発的に存在したとしても、誤って接続コードと判定されることはなく、送信コードとされた指定コードのみを確実に記録することができる。さらに、通信処理の後に送信データ記憶手段の送信データが削除されるので、送信データに含まれる接続コードの秘密保持が可能になる。また、相手先からの応答信号を受信しない場合は、送信コードが再送信されるので、送信コードを再入力する必要がない。
【００５６】
【００５７】
また、請求項４に記載した発明の通信装置によれば、相手先の指定コードに付加して接続コードを送信する際は、表示手段によっても接続コードが表示されることがないので、他人に知られたくないような接続コードを非公開とすることができる。また、通信処理の後に送信データ記憶手段の送信データが削除されるので、送信データに含まれる接続コードの秘密保持が可能になる。
【００５８】
【００５９】
【図面の簡単な説明】
【図１】  本発明にかかる通信装置の一例としてファクシミリ装置の回路構成を示した回路ブロック図である。
【図２】  ファクシミリ装置による送信コードの処理手順を示したフローチャートである。
【符号の説明】
１    ＣＰＵ
２    ＮＣＵ
３    ＲＡＭ
４    モデム
５    ＲＯＭ
６    ＥＥＰＲＯＭ
７    ゲートアレイ
８    コーデック
９    ＤＭＡＣ
１１  読取部
１２  記録部
１３  操作部
１４  表示部
２１  電話回線
【図１】
0003711741.tif 000002
【図２】
0003711741.tif 000003